(57)【要約】      （修正有）【課題】上顎歯列模型の補綴物や義歯に対応した部分の適正な構築や診断等を容易に行い得る上顎歯列模型調節器を提供することである。【解決手段】上顎歯列模型が載置される基準板２０を有し、基準板２０における上顎歯列模型の載置面２１を所定半径の球状凹面とした構成となる。これにより、ある種の彎曲面に沿って配列されるべき上顎歯列模型における補綴物や義歯の構築や診断等をその彎曲面をより良く代表し得る球状凹面を基準にして行なうことができるようになる。【選択図】図２
2006346195.tif 000002
【特許請求の範囲】
【請求項１】
上顎歯列模型が載置される基準板を有し、
前記基準板における前記上顎歯列模型の載置面を所定半径の球状凹面としたことを特徴とする上顎歯列模型調節器。
【請求項２】
左側第２大臼歯と右側第１小臼歯とを結ぶ直線と、左側第１小臼歯と右側第２大臼歯とを結ぶ直線の交点と見込まれる前記載置面上の点から鉛直上方向に延びる線上に前記球状凹面の中心を設定したことを特徴とする請求項１記載の上顎歯列模型調節器。
【請求項３】
前記球状凹面の半径は、１２４ｍｍ±５％の範囲内の値に設定されたことを特徴とする請求項２記載の上顎歯列模型調節器。
【請求項４】
前記基準板の高さを調整する調整機構を有することを特徴とする請求項１乃至３のいずれかに記載の上顎歯列模型調節器。
【請求項５】
前記載置面における前端部の左右方向中心所定位置にて突没可能な支持ピンが設けられ、
前記載置面の後端部に前後方向移動可能となると共に前記載置面から退避可能となり、横方向に延びる支持バーが設けられたことを特徴とする請求項１乃至４のいずれかに記載の上顎歯列模型調節器。
【請求項６】
上顎の切歯乳頭の位置として見込まれる位置に前記支持ピンが設けられたことを特徴とする請求項５記載の上顎歯列模型調節器。
【請求項７】
前記基準板の周側面において、前記上顎の各歯の位置として見込まれる位置に前記球状凹面の中心に向けて延びる基準線を形成したことを特徴とする請求項１乃至６のいずれかに記載の上顎歯列模型調節器。
【請求項８】
前記載置面の左右方向中心線に対応するように、前記基準板の後端面に鉛直方向に延びる基準線が形成されたことを特徴とする請求項１乃至７のいずれかに記載の上顎歯列模型調節器
【請求項９】
前記載置面の左右方向中心線と前記上顎歯列模型の正中線とを合致させた状態で、上顎歯列模型の歯列が配置されるべき位置を示す基準線が前記載置面に形成されたことを特徴とする請求項１乃至８のいずれかに記載の上顎歯列模型調節器。
【発明の詳細な説明】
【技術分野】
【０００１】
本発明は、歯科医療患者の上顎の補綴物や義歯を製作する際に咬合器と共に用いられる上顎歯列模型調節器に関する。
【背景技術】
【０００２】
上顎と下顎との適正な咬合が得られるように上顎歯列模型において歯科用補綴物や義歯の構築や調整がなされる。その際に、咬合器と共に上顎歯列模型調節器が用いられる。この上顎歯列模型調節器として、従来、平面板を用いたものが提案されている（例えば、特許文献１参照）。この従来の上顎歯列模型調節器（歯列模型調整板）は、上顎歯列模型が載置される載置面が平面状となった平面板が用いられおり、この平面板が前後方向及び左右方向に傾斜可能となっている。そして、患者の仮想咬合平面の傾きを所定の手法に従ってこの平面板にて再現した状態で上顎歯列模型調節器を咬合器の上顎マウント部に取りつけ、前記傾斜した平面板を基準にして上顎歯列模型の補綴物や義歯に対応した部分の構築や診断等がなされる。
【特許文献１】特開２００３−２２００７９号公報
【発明の開示】
【発明が解決しようとする課題】
【０００３】
ところで、図１（ａ）に示すように、人の上顎ＭＸと下顎ＭＮとは、前歯部から臼歯部がある種の彎曲面Ｃ１（例えば、Spee彎曲）に沿って配列されるものであり、また、左右方向についても、図１（ｂ）に示すようにある種の彎曲面Ｃ２（例えば、Wilson彎曲）に沿って歯配列されるものである。相互に咬合すべき上顎ＭＸの歯列及び下顎ＭＮの歯列において前述したような彎曲形状が維持されていないと、下顎ＭＮの運動において臼歯部等に有害な側方圧がかかるおそれがある。
【０００４】
しかしながら、前述した従来の上顎歯列模型調節器では、前後方向及び左右方向への傾斜調整は可能ではあるものの、上顎歯列模型が載置される載置面が平面状（平面板）となって、前述したような彎曲形状の再現がなされていない。このため、前記平面板を基準にして咬合器の上顎マウント部にマウントされた上顎歯列模型の補綴物や義歯に対応した部分の構築や診断等を行なう場合、その補綴物や義歯が下顎歯列に適正に咬合され得るように構築するには歯科医師や歯科技工士の経験や高度な技量が必要であり、また、その補綴物や義歯の適正な診断が難しいものとなっていた。
【０００５】
本発明は、前述したような事情に鑑みてなされたもので、上顎歯列模型の補綴物や義歯に対応した部分の適正な構築や診断等を容易に行い得る上顎歯列模型調節器を提供するものである。
【課題を解決するための手段】
【０００６】
本発明に係る上顎歯列模型調節器は、上顎歯列模型が載置される基準板を有し、前記基準板における前記上顎歯列模型の載置面を所定半径の球状凹面とした構成となる。
【０００７】
このような構成により、基準板における上顎歯列模型の載置される載置面が所定半径の球状凹面となっているので、ある種の彎曲面に沿って配列されるべき上顎歯列模型における補綴物や義歯の構築や診断等を前記球状凹面を基準にして行なうことができるようになる。
【０００８】
また、本発明に係る上顎歯列模型調節器において、左側第２大臼歯と右側第１小臼歯とを結ぶ直線と、左側第１小臼歯と右側第２大臼歯とを結ぶ直線との交点と見込まれる前記載置面上の点から鉛直上方向に延びる線上に前記球状凹面の中心を設定した構成とすることができる。
【０００９】
このような構成により、左側第２大臼歯と右側第１小臼歯とを結ぶ直線と、左側第１小臼歯と右側第２大臼歯とを結ぶ交点は、正中線上の点となり得、また、上顎歯列模型を載置すべき球状凹面（載置面）の最下点となる。このような球状凹面は、多くの歯科患者の上顎歯列が沿うべき彎曲面により近いものとなり得た。
【００１０】
更に、本発明に係る上顎歯列模型調節器において、前記球状凹面の半径は、１２４ｍｍ±５％の範囲内の値に設定された構成とすることができる。
【００１１】
このような構成により、上顎歯列模型を載置すべき球状凹面が、多くの歯科患者の上顎歯列が沿うべき彎曲面をより良く代表するものとなり得た。
【００１２】
また、本発明に係る上顎歯列模型調節器において、前記基準板の高さを調整する調整機構を有する構成とすることができる。
【００１３】
このような構成により、基準板の高さを調整することができるので、咬合器の上顎マウント部にマウントされた上顎歯列模型の歯列先端が基準板の球状凹面（載置面）に沿うように容易に設定することができるようになる。
【００１４】
また、本発明に係る上顎歯列模型調節器において、前記載置面における前端部の左右方向中心所定位置にて突没可能な支持ピンが設けられ、前記載置面の後端部に前後方向移動可能となると共に前記載置面から退避可能となり、横方向に延びる支持バーが設けられた構成とすることができる。
【００１５】
このような構成により、載置面の前端部から突出する支持ピンと、載置面の後端部において前後方向の位置調整のなされた支持バーとによって上顎歯列模型を支持することにより、当該上顎歯列模型と基準板の球状凹面（載置面）とを所定の位置関係に保持した状態で、該上顎歯列模型を咬合器の上顎マウント部にマウントすることができる。そして、上顎歯列模型を咬合器の上顎マウント部にマウントした後に、前記支持ピンを載置面に没入させると共に前記支持バーを載置面から待避させた状態で、当該上顎歯列模型調節器を前記咬合器の取りつけ下腕部に取付けることにより、前記マウントされた上顎歯列模型の歯列を載置面に沿うように配置させることができるようになる。
【００１６】
更に、本発明に係る上顎歯列模型調節器において、上顎の切歯乳頭の位置として見込まれる位置に前記支持ピンが設けられた構成とすることができる。
【００１７】
このような構成により、上顎歯列模型の切歯乳頭に対応した部位を支持ピンにて支持すると共に、上顎歯列模型の左右のハミュラーノッチに対応した部位を支持バーにて支持することができるので、解剖学的に変化の少ないといわれる切歯乳頭とハミュラーノッチの３点にて支持した状態で、当該上顎歯列模型を咬合器の上顎マウント部にマウントすることができるようになる。これにより、再現性良く上顎歯列模型を咬合器の上顎マウント部にマウントすることができるようになる。
【００１８】
また、本発明に係る上顎歯列模型調節器は、前記基準板の周側面において、前記上顎の各歯の位置として見込まれる位置に前記球状凹面の中心に向けて延びる線を形成した構成とすることができる。
【００１９】
このような構成により、上顎歯列模型を基準板の球状凹面（載置面）に載置した状態で、前記各歯に対応した線を基準にして当該上顎歯列模型の補綴物や義歯に対応した部分の構築や診断等を行なうことができるようになる。
【００２０】
また、本発明に係る上顎歯列模型調節器では、前記載置面の左右方向中心に対応した前記基準板の後端面の位置を通って鉛直方向に延びる基準線が形成された構成とすることができる。
【００２１】
このような構成により、基準板の後方から見て、該基準板の後端面に形成された基準線を基準にして、上顎歯列模型の左右方向中心線、即ち、正中線を載置面の左右方向中心線に合わせ易くなる。
【００２２】
更に、本発明に係る上顎歯列模型調節装置では、前記載置面の左右方向中心線と前記上顎歯列模型の正中線とを合致させた状態で、上顎歯列模型の歯列が配置されるべき位置を示す基準線が前記載置面に形成された構成とすることができる。
【００２３】
このような構成により、載置面の左右方向中心線と上顎歯列模型の正中線とを合致させた状態で当該上顎歯列模型を載置面に載置すると、上顎歯列模型の歯列が配置されるべき位置を示す基準線を基準にして上顎歯列模型における補綴物や義歯の構築や診断等を容易に行なうことができるようになる。
【発明の効果】
【００２４】
本発明に係る上顎歯列調節器によれば、ある種の彎曲面に沿って配列されるべき上顎歯列模型における補綴物や義歯の構築や診断等を前記球状凹面を基準にして行なうことができるようになるので、下顎運動において臼歯部等に有害な側方圧がかからないように、上顎歯列模型の補綴物や義歯に対応した部分を容易に構築することができ、また、その適正な判断等を容易に行なうことができるようになる。
【発明を実施するための最良の形態】
【００２５】
以下、本発明の実施の形態について、図面を用いて説明する。
【００２６】
本発明の実施の一形態に係る上顎歯列模型調節器は、図２乃至図５に示すように構成される。なお、図２は上顎歯列模型調節器を咬合器に取付けた状態を示す側面図であり、図３は上顎歯列模型調節器の正面図であり、図４は上顎歯列模型調節器の背面図であり、図５は上顎歯列模型調節器の平面図である。
【００２７】
図２に示すように咬合器２００に装着して咬合調節に用いられる上顎歯列模型調節器１００は、支持台１０にて基準板２０が支持された構造となっている。支持台１０には、調整ダイアル１２が設けられると共に調整ダイアル１２に結合した昇降機構（高さ調整機構）（図示略）が収容されている。調整ダイアル１２の回転操作に応じた昇降機構の動作により基準板２０が上下動するようになっている。支持台１０の底部にはプレート１１がボルト１３ａ、１３ｂによって固定されている（図３参照）。また、基準板２０の底面から指示針２５が支持台１０の前方面に沿うように垂下しており、支持台１０の該前方面には高さを表す目盛りが設けられている（図３参照）。
【００２８】
基準板２０の上面は上顎歯列模型を載置すべき載置面２１であり、載置面２１は後述するような所定半径の球状凹面となっている。なお、このように基準板２０の上顎歯列模型を載置すべき載置面２１が球状凹面となることから、この上顎歯列模型調節器１００を、従来のように基準板として平面板を用いるものと区別して、「咬合調節彎曲板」と称する。
【００２９】
基準板２０の両側面にはその後端面に抜けるガイド溝２２が、咬合平面の傾き（例えば、水平に対して６度）に対応した傾斜をもって形成されている（図２、図４参照）。基準板２０の両側面を挟むように２つの移動ブロック３０が配置されている。両移動ブロック３０間に載置面２１の左右方向中心線ＳＬ０２に直交する（横方向に延びる）ように支持バー３１が掛け渡されており（図５参照）、支持バー３１の両端部のそれぞれが移動ブロック３０の上端面にネジ止め固定されている。支持バー３１は、断面Ｌ次状となり（図２、後述する図７参照）、上方に突出した支持エッジ部３１ａを有している。
【００３０】
各移動ブロック３０は、前後方向に隔離したスライドピン３２ａ、３２ｂを有しており、各スライドピン３２ａ、３２ｂが基準板２０の側面に形成されたガイド溝２２に摺動自在に嵌り込んでいる。ガイド溝２２は、基準板２０の後端面に抜ける側の所定部位がそれより前方の部位より浅く形成され、後方側のスライドピン３２ａは前記浅い所定部位を通過してガイド溝２２から脱出可能となる一方、前方側のスライドピン３２ｂは前記浅い所定部位とそれより前方の部位との境界で抜け止めされるようになっている。スライドピン３２ａ、３２ｂがガイド溝２２にガイドされた状態で各移動ブロック３０を前後方向に移動させることにより、支持バー３１が載置面２１の後端部においてその上方を前後方向に移動する。なお、ガイド溝２２が前述したように咬合平面の傾きに対応した傾斜をもって形成されていることから、支持バー３１は咬合平面に平行に移動可能となる。また、各移動ブロック３０をスライドピン３２ｂの抜け止め位置まで後退させてスライドピン３２ａがガイド溝２２から脱出すると、スライドピン３２ｂを中心にして移動ブロック３０を反時計方向に回動させることにより、支持バー３１が載置面２１から待避する（後述する図１２、図１３参照）。
【００３１】
基準板２０の前端部には垂直上方に延びる支持ピン２３が設けられている。支持ピン２３は、載置面２１から突没可能となると共に、基準板２０の前端面に設けられたビス２４によって固定可能となっている。これにより、支持ピン２３の載置面２１からの突出高さを調整してビス２４によって固定することができる。基準板２０の後端面には、図４に示すように、載置面２１の左右方向中心線Ｌ０２（図５参照）に対応するように鉛直方向に延びる基準線ＳＯ１が形成されている。
【００３２】
載置面２１の球状凹面は、次のようにして形成される。
図６に示すように、左側第２大臼歯と右側第１小臼歯とを結ぶ直線Ｌ１と、左側第１小臼歯と右側第２大臼歯とを結ぶ直線Ｌ２との交点Ｐは、正中線Ｌｃ上にあり、犬歯誘導などの下顎運動の合理的な基準点とみなし得る。このことから、図５、図７及び図８に示すように、左側第２大臼歯（Ｐ27）と右側第１小臼歯（Ｐ14）とを結ぶ直線と、左側第１小臼歯（Ｐ24）と右側第２大臼歯（Ｐ17）とを結ぶ直線との交点と見込まれる載置面２１の点Ｐｏから鉛直上方に延びる線Ｌｏ上に当該球状凹面の中心Ｏが設定された。即ち、この載置面２１の点Ｐｏは、当該球状凹面の最下点となる。また、点Ｐｏは、載置面２１の左右方向中心線ＳＬ０２上にある。
【００３３】
そして、球状凹面の半径ＳＲが１２４ｍｍとなるように、当該球状凹面（載置面２１）の中心Ｏが最終的に決定された。このような球状凹面は、本願発明者が多数の歯科患者の歯列を採取して調べた結果から、その上顎歯列が沿うべき彎曲面（図１参照）をより良く代表するものであった。ただし、球状凹面の半径ＳＲは、年齢、性別、顎骨構造などを考慮して１２４ｍｍ±５％の範囲内で設定することもできることを確認した。
【００３４】
前述したように左側第２大臼歯と右側第１小臼歯とを結ぶ直線Ｌ１と、左側第１小臼歯と右側第２大臼歯とを結ぶ直線Ｌ２との交点Ｐ及びその交点Ｐを上顎歯列模型調節器１００（咬合調節彎曲板）に再現した基準板２０の載置面２１に設定される点Ｐｏは、下顎運動の合理的な基準点とみなし得ることから、「咬合原点」と称する。
【００３５】
前述したように基準板２０の前端部に載置面２１から突没可能に設けられた支持ピン２３の位置は、図５に示すように、載置面２１の左右方向中心線ＳＬ０２に上顎歯列模型の正中線を合わせて当該載置面２１に載置した際に上顎歯列模型の切歯乳頭の位置として見込まれる位置に設定される。また、基準板２０の載置面２１には、図５に示すように、上顎歯列模型の正中線と左右方向中心線ＳＬ０２とを合わせ、その切歯乳頭を支持ピン２３の位置に合わせて上顎歯列模型を載置面２１に載置した際に、各歯が配列されると見込まれる範囲を表す２つの基準線ＣＳ１、ＣＳ２が描かれている。なお、基準線ＣＳ１には、各歯の配列位置を表すマーカＰ11〜Ｐ17、Ｐ21〜Ｐ27も描かれている。
【００３６】
更に、図７及び図８に示すように、基準板２０の周側面において、上顎の各歯の位置として見込まれる位置に前記球状凹面（載置面２１）の中心０に向けて延びる基準線が描かれるように、当該周側面に切削加工が施されている。具体的には、図７に示すように、基準板２０を側方から見たときに、その基準線ＳＬ１７（図５におけるＰ17、Ｐ27に対応）、ＳＬ１６（図５におけるＰ16、Ｐ26に対応）、ＳＬ１５（図５におけるＰ15、Ｐ26に対応）、ＳＬ１４（図５におけるＰ14、Ｐ24に対応）、ＳＬ１３（図５におけるＰ13、Ｐ23に対応）、ＳＬ１２（図５におけるＰ12、Ｐ22に対応）及びＳＬ１１（図５におけるＰ11、Ｐ21に対応）が視認できるように切削加工が施されている。また、図８に示すように、基準板２０を前方から見たときに、その基準線ＳＬ２７（図５におけるＰ17、Ｐ27に対応）、ＳＬ２６（図５におけるＰ16、Ｐ26に対応）、ＳＬ２５（図５におけるＰ15、Ｐ26に対応）、ＳＬ２４（図５におけるＰ14、Ｐ24に対応）、ＳＬ２３（図５におけるＰ13、Ｐ23に対応）、ＳＬ２２（図５におけるＰ12、Ｐ22に対応）及びＳＬ２１（図５におけるＰ11、Ｐ21に対応）が視認できるように切削加工が施されている。
【００３７】
なお、図２に戻って、前述した上顎歯列模型調節器１００（咬合調節彎曲板）が装着される咬合器２００の構造について簡単に説明する。この咬合器２００は、一般的に知られている咬合器と基本的な構造は同じである。
【００３８】
図２において、咬合器２００は、支柱２１０と、支柱２１０の下端部に支柱２１０と直角に配置されるように固定された下方腕部２２０と、支柱２１０の上端部に軸２１１を中心に回動自在となるように設けられた上方腕部２３０とを有している。上方腕部２３０の内側面には上顎マウント部２３１が固定ネジ２３２によって着脱自在に固定されている。上方腕部２３０の先端部には鉛直方向に延びるインサイザルピン２３３が固定され、インサイザルピン２３３の先端が下方腕部２２０の先端に装着された受け部材２２１に当接するようになっている。また、下方腕部２２０の上面には上顎歯列模型調節器１００（咬合調節彎曲板）が着脱自在に設けられる。上顎歯列模型調節器１００（咬合調節彎曲板）は、プレート１１に螺合する固定ネジ４０にて固定される。
【００３９】
前述した構造の上顎歯列模型調節器１００（咬合調節彎曲板）と咬合器２００とを用いて、例えば、次のようにして上顎歯列模型の補綴物、義歯に対応した部分の構築や診断を行なうことができる。
【００４０】
まず、図９及び図１０に示すように、支持ピン２３を基準板２０の載置面２１から突出させた状態で、上顎歯列模型３００の切歯乳頭（図６参照）を支持ピン２３にて支持させると共に、上顎歯列模型３００の両ハミュラーノッチ（図６参照）が支持バー３１の支持エッジ部３１ａにて支持されるように移動ブロック３０を前後方向に移動調整する。このとき、切歯乳頭（支持ピン３１の先端に対応）と両ハミュラーノッチ（支持エッジ部３１ａのエッジ先端）とによって形成される平面（ＨＩＰ平面）が咬合平面と平行（例えば、水平に対して６度の傾斜）となるように支持ピン２３の突出高さが調整される。
【００４１】
支持ピン２３と支持バー３１にて上顎歯列模型３００を支持させる際に、図１０に示すように、予め上顎歯列模型３００に描いておいた正中線Ｌｃと基準板２０の後端面に描かれた基準線ＳＬ０１とが一致するように上顎歯列模型３００の位置調整もなされる。これにより、上顎歯列模型３００の正中線Ｌｃと基準板２０の左右方向中心線ＳＬ０２（図５参照）とが一致することになる。
【００４２】
このように上顎歯列模型３００が支持ピン２３と支持バー３１にて支持された状態で、図１１に示すように、上顎歯列模型調節器１００（咬合調節彎曲板）が咬合器２００に装着され（固定ネジ４０にて固定）、上顎歯列模型３００を、例えば、石膏等によって上方腕部２３０の上顎マウント部２３１に付着させる（マウントする）。この状態で、上顎歯列模型調節器１００（咬合調節彎曲板）を咬合器２００から取り外す。そして、一般的な咬合調整作業と同様に、咬合器２００の下方腕部２２０に下顎歯列模型がマウントされ、上顎歯列模型３００との咬合状態の確認等がなされる。
【００４３】
その後、下顎歯列模型を咬合器２００の下方腕部２２０から取り外し、再度、上顎歯列模型調節器１００（咬合調節彎曲板）を咬合器２００の下方腕部２００に装着する。このとき、図１２に示すように、移動ブロック３０を後方に移動させて支持バー３１を基準板２０の載置面２１から待避させる。そして、同図１２に示すように、調整ダイアル１２を回転操作して、上顎歯列模型３００の歯列が球状凹面となる載置面２１に接するまで、基準板２０を上昇させる。
【００４４】
このように上顎歯列模型３００の歯列が球状凹面となる載置面２１に接した状態にして、上顎歯列模型３００の補綴物、義歯に対応した部分の構築等がなされる。その際、上顎歯列模型３００の歯列が沿うべきある種の彎曲面をより良く代表する載置面２１の球状凹面を基準にして上顎歯列模型３００の補綴物、義歯に対応した部分の構築等を行なうことができる。このため、その補綴物や義歯に対応した部分の適正な構築等を容易に行なうことができるようになる。
【００４５】
また、図１３に示すように、基準板２０の側面には各歯が配列される位置及び方向を表す基準線ＳＬ１１〜ＳＬ１７（図８に示す基準線ＳＬ２１〜ＳＬ２７も含む）を基準にしてその補綴物等の配列位置や向きを確認することもでき、補綴物の構築作業等を更に容易に行なうことができる。また、載置面２１には、図５に示すように、各歯が配列されると見込まれる範囲を表す２つの基準線ＣＳ１、ＣＳ２が描かれており、この基準線ＣＳ１、ＣＳ２をも基準にして補綴物等の適正な位置を確認することができ、その構築作業をまた更に容易に行なうことができる。
【００４６】
本発明の実施の形態に係る上顎歯列模型調節器１００（咬合調節彎曲板）では、支持バー３１（支持エッジ部３１ａ）と支持ピン２３とによってＨＩＰ面（図９、図１０参照）が咬合平面と平行となるようにして上顎歯列模型３００の歯列と基準板２０の載置面２１（球状凹面）との相対的な位置関係を設定している。上顎歯列模型調節器１００に付随しない別途器具を用いてそのような位置関係を設定することができれば（上顎歯列模型３００を咬合器２００にマウントできれば）、上顎歯列模型調節器１００に支持バー３１及び支持ピン２３を設ける必要はない。ただし、別途器具を必要としないという点で、前述したような支持バー３１及び支持ピン２３を上顎歯列模型調節器１００（咬合調節彎曲板）に設けることが好ましい。
【産業上の利用可能性】
【００４７】
本発明に係る上顎歯列模型調節器は、上顎歯列模型の補綴物や義歯に対応した部分の適正な構築や診断等を容易に行い得るという効果を有し、歯科医療患者の上顎の補綴物や義歯を製作する際に咬合器と共に用いられる上顎歯列模型調節器として有用である。
【図面の簡単な説明】
【００４８】
【図１】人の上顎及び下顎の咬合状態を示す図である。
【図２】本発明の実施の一形態に係る上顎歯列模型調節器を咬合器に取付けた状態を示す側面図である。
【図３】本発明の実施の一形態に係る上顎模型歯列模型調節器を示す正面図である。
【図４】本発明の実施の一形態に係る上顎歯列模型調節器を示す背面図である。
【図５】本発明の実施の一形態に係る上顎歯列模型調節器を示す平面図である。
【図６】実際の上顎歯列の一例を示す図である。
【図７】図２乃至図５に示す上顎歯列模型調節器における基準板の載置面（球状凹面）及び基準板に形成される基準線を示す側面図である。
【図８】図２乃至図５に示す上顎歯列模型調節器における基準板の載置面（球状凹面）及び基準板に形成される基準線を示す正面図である。
【図９】上顎歯列模型を基準板に設けられた支持バー及び支持ピンで支持した状態を示す側面図である。
【図１０】上顎歯列模型を基準板に設けられた支持バー及び支持ピンで支持した状態を示す背面図である。
【図１１】上顎歯列模型調節器を用いて上顎歯列模型を咬合器にマウントした状態を示す側面図である。
【図１２】上顎歯列模型がマウントされた咬合器に上顎歯列模型調節器を再度取付けた状態を示す側面図である。
【図１３】上顎歯列模型の補綴物、義歯等の構築等を行なう際に上顎歯列模型が基準板の載置面に載置された状態を示す側面図である。
【符号の説明】
【００４９】
１０  支持台
１１  プレート
１２  調節ダイアル
１３ａ、１３ｂ  ボルト
２０  基準板
２１  載置面（球状凹面）
２２  スライド溝
２３  支持ピン
２５  指示針
３０  移動ブロック
３１  支持バー
３１ａ  支持エッジ部
３２ａ、３２ｂ  スライドピン
４０  固定ネジ
１００  上顎歯列模型調節器
２００  咬合器
２１０  支柱
２１１  軸
２２０  下方腕部
２２１  受け部
２３０  上方腕部
２３１  上顎マウント部
２３２  固定ネジ
２３３  インサイザルピン
【図１】
2006346195.tif 000003
【図２】
2006346195.tif 000004
【図３】
2006346195.tif 000005
【図４】
2006346195.tif 000006
【図５】
2006346195.tif 000007
【図６】
2006346195.tif 000008
【図７】
2006346195.tif 000009
【図８】
2006346195.tif 000010
【図９】
2006346195.tif 000011
【図１０】
2006346195.tif 000012
【図１１】
2006346195.tif 000013
【図１２】
2006346195.tif 000014
【図１３】
2006346195.tif 000015